(57)【要約】【課題】任意のコンテンツを再生／視聴している人が他にどんなコンテンツをどれくらい（何時間、何回など）、またはいつ（録画してからの経過時間など）再生／視聴しているかをコンテンツ推薦情報として、ユーザに提供する。【解決手段】再生モジュール１２１はコンテンツの再生操作情報を推薦モジュール１２２に送信する。推薦モジュール１２２は送られてきた再生操作情報を集計し、集計した再生操作情報を基に、任意のコンテンツを再生している再生モジュールが他にどんなコンテンツをどれくらい再生しているかのリストをコンテンツ推薦情報として生成し、再生モジュール１２１に送信する。再生モジュール１２１は受信したコンテンツ推薦情報を使って、任意のコンテンツを再生した再生モジュール１２１が他にどんなコンテンツをどれくらい再生しているかの情報を表示装置１０３に出力する。【選択図】図１
2007324874.tif 000002
【特許請求の範囲】
【請求項１】
コンテンツを再生するコンテンツ再生モジュールと、前記コンテンツ再生モジュールの情報を集計し、その情報を基にコンテンツを推薦するコンテンツ推薦モジュールとから構築されるシステムにおけるコンテンツ推薦方法であって、
前記コンテンツ推薦モジュールは、
前記コンテンツ再生モジュールのコンテンツ再生情報を集計するコンテンツ再生情報集計工程と、
集計した前記コンテンツ再生情報を基に、コンテンツ推薦情報として、第一のコンテンツを再生したコンテンツ再生モジュールが再生している第二のコンテンツの再生リストを生成するコンテンツ推薦情報生成工程と、
前記コンテンツ推薦情報に前記コンテンツ再生モジュールにおける第二のコンテンツの再生情報を付加する第二のコンテンツ再生情報付加工程とを備え、
前記コンテンツ再生モジュールは、
コンテンツ再生情報を前記コンテンツ推薦モジュールに送信するコンテンツ再生情報送信工程と、
前記コンテンツ推薦モジュールから、前記コンテンツ推薦情報を取得するコンテンツ推薦情報取得工程と、
取得した前記コンテンツ推薦情報を表示装置に表示するコンテンツ推薦情報表示工程とを備えることを特徴とするコンテンツ推薦方法。
【請求項２】
前記コンテンツ再生モジュールと前記コンテンツ推薦モジュールとは、同一端末内に含まれることを特徴とする請求項１に記載のコンテンツ推薦方法。
【請求項３】
前記コンテンツ再生モジュールと前記コンテンツ推薦モジュールとは、それぞれ別の端末に含まれることを特徴とする請求項１に記載のコンテンツ推薦方法。
【請求項４】
前記第二のコンテンツ再生情報付加工程は、前記コンテンツ推薦情報に前記コンテンツ再生モジュールにおける第二のコンテンツの再生情報の平均情報を予め定められた関数によって点数化したものを付加することを特徴とする請求項１〜３のいずれか１項に記載のコンテンツ推薦方法。
【請求項５】
前記第二のコンテンツ再生リスト生成工程は、前記第一のコンテンツ再生情報に関して、再生情報を予め定められた関数によって点数化し、その点数が任意の閾値よりも高いものだけを集計して、前記第二のコンテンツ再生リストを生成することを特徴とする請求項１〜４のいずれか１項に記載のコンテンツ推薦方法。
【請求項６】
前記コンテンツ推薦情報表示工程は、取得した前記コンテンツ推薦情報に付加された前記第二のコンテンツ再生情報に基づいて、前記表示装置に表示するコンテンツの順番を決定することを特徴とする請求項１〜５のいずれか１項に記載のコンテンツ推薦方法。
【請求項７】
前記コンテンツの再生情報は、再生時間であることを特徴とする請求項１〜６のいずれか１項に記載のコンテンツ推薦方法。
【請求項８】
前記コンテンツの再生情報は、再生回数であることを特徴とする請求項１〜６のいずれか１項に記載のコンテンツ推薦方法。
【請求項９】
前記コンテンツ再生情報は、録画日時から再生日時までの時間間隔であることを特徴とする請求項１〜６のいずれか１項に記載のコンテンツ推薦方法。
【請求項１０】
請求項１に記載の方法の各工程をコンピュータにて実施させることを特徴とするプログラム。
【発明の詳細な説明】
【技術分野】
【０００１】
本発明は、ユーザに、任意のコンテンツを再生した人々が他にどんなコンテンツを再生しているかを示すコンテンツ推薦方法及びプログラムに関する。
【背景技術】
【０００２】
従来、コンテンツ推薦方法を使用したサービスとして、任意のコンテンツを再生（視聴）した人々が他にどんなコンテンツを再生（視聴）しているかを推薦情報として、ユーザに提示することが行われている。
【０００３】
尚、その際には、推薦情報に含まれるコンテンツの中で、前記任意のコンテンツを再生（視聴）し、尚且つ推薦コンテンツを再生（視聴）している人数が多いものだけをユーザに提示する場合もある。
【０００４】
このようなコンテンツ推薦情報は、ユーザが興味あるコンテンツを探すのに非常に有効である。なぜなら、任意のコンテンツに関連したコンテンツ推薦情報は、任意のコンテンツと関連性が高く、任意のコンテンツに興味を持った人は、コンテンツ推薦情報に挙げられるコンテンツにも興味を持つ可能性が比較的高いからである。
【０００５】
ユーザはコンテンツ推薦情報を見ることで、その時点で知り得なかった、知れば再生（視聴）する可能性が高いコンテンツを見つけることができる。
【０００６】
近年、このようなコンテンツ推薦サービスとして、例えば、オンラインショッピング分野では、Ａｍａｚｏｎが行っているサービスがある。
【０００７】
Ａｍａｚｏｎは、書籍をメインに取り扱うオンラインショッピングサイトである。Ａｍａｚｏｎのコンテンツ推薦サービスは、任意の書籍を購入したユーザが他にどんな書籍を購入しているのかをリストにして、コンテンツ推薦情報としてユーザに提供している。
【０００８】
尚、Ａｍａｚｏｎは現時点において、メインの書籍以外にも、ＤＶＤ／ビデオ、ゲーム、エレクトロニクスなども取り扱っており、それらについても、コンテンツ推薦情報を提供している。
【０００９】
尚、本願出願人が知る限り、現時点では、ＥＰＧ（電子番組表）の分野において、このようなコンテンツ推薦サービスを行っているところは存在しない。
【００１０】
【非特許文献１】Ａｍａｚｏｎ社ホームページ（ｈｔｔｐ：／／ｗｗｗ．ａｍａｚｏｎ．ｃｏ．ｊｐ／）
【発明の開示】
【発明が解決しようとする課題】
【００１１】
しかしながら、上述のコンテンツ推薦サービスには、以下のような問題点が挙げられる  。ユーザには、任意のコンテンツを再生（視聴）した人々が他に再生（視聴）している  コンテンツのリストだけが提供されるので、人々がそのコンテンツをどれくらい再生（  視聴）しているのかが分からない。
【００１２】
上述のＡｍａｚｏｎは、推薦対象が書籍やＤＶＤ／ビデオなどであり、ほとんどの人が１冊、または１つしか買わないので、どれくらい買ったのかという情報は、それほど意味を持たない。しかし、コンテンツ推薦サービスをＥＰＧで行う場合にはそういった情報は重要である。
【００１３】
ＥＰＧにおいては、そのコンテンツ（番組）を１分見て止めたのと、全部見たのとでは、同じ"再生（視聴）"した場合でも、意味合いが大きく異なる。
【００１４】
当然、人々が長い時間（多くの回数）見ているコンテンツのほうが、短い時間（少ない回数）しか見ていないコンテンツよりも面白いということがいえる。
【００１５】
そのために、コンテンツ推薦情報に含まれる情報が再生（視聴）したか否かだけよりも、どれくらい再生（視聴）したかという情報もコンテンツ推薦情報に含まれているほうがコンテンツの評価を知るのに有効である。
【００１６】
本発明は上記に鑑みてなされたものであり、任意のコンテンツを再生／視聴している人が他にどんなコンテンツをどれくらい（何時間、何回など）、またはいつ（録画してからの経過時間など）再生／視聴しているかをコンテンツ推薦情報として、ユーザに提供することができるコンテンツ推薦方法を提供することにある。
【課題を解決するための手段】
【００１７】
本発明のコンテンツ推薦方法は、コンテンツを再生するコンテンツ再生モジュールと、前記コンテンツ再生モジュールの情報を集計し、その情報を基にコンテンツを推薦するコンテンツ推薦モジュールとから構築されるシステムにおけるコンテンツ推薦方法であって、前記コンテンツ推薦モジュールは、前記コンテンツ再生モジュールのコンテンツ再生情報を集計するコンテンツ再生情報集計工程と、集計した前記コンテンツ再生情報を基に、コンテンツ推薦情報として、第一のコンテンツを再生したコンテンツ再生モジュールが再生している第二のコンテンツの再生リストを生成するコンテンツ推薦情報生成工程と、前記コンテンツ推薦情報に前記コンテンツ再生モジュールにおける第二のコンテンツの再生情報を付加する第二のコンテンツ再生情報付加工程とを備え、前記コンテンツ再生モジュールは、コンテンツ再生情報を前記コンテンツ推薦モジュールに送信するコンテンツ再生情報送信工程と、前記コンテンツ推薦モジュールから、前記コンテンツ推薦情報を取得するコンテンツ推薦情報取得工程と、取得した前記コンテンツ推薦情報を表示装置に表示するコンテンツ推薦情報表示工程とを備えることを特徴とする。
また、本発明のプログラムは、上記に記載の方法の各工程をコンピュータにて実施させることを特徴とする。
【発明の効果】
【００１８】
本発明によれば、任意のコンテンツを再生／視聴している人が他にどんなコンテンツをどれくらい(何時間、何回など)、またはいつ（録画してからの経過時間など）再生/視聴しているかをコンテンツ推薦情報として、ユーザに提供することができる。
【発明を実施するための最良の形態】
【００１９】
以下、添付図面を参照して本発明の好適な実施の形態を詳しく説明する。
尚、以下の実施の形態は特許請求の範囲に係る発明を規定するものでなく、また本実施の形態で説明されている特徴の組み合わせの全てが発明の解決手段に必須のものとは限らない。
【００２０】
図１は、本発明の実施の形態に係るコンテンツ推薦方法を実現するシステムの構成を説明する概略図である。図１において、１０１はユーザ端末であり、ネットワーク１０２、表示装置１０３及びＥＰＧ配信サーバ１０４と繋がっている。
【００２１】
ユーザ端末１０１は、通信部１１１、データ制御部１１２、データ記憶部１１３、表示部１１４及び操作部１１５を備えている。
【００２２】
通信部１１１は、ネットワーク１０２と繋がっており、他のユーザ端末などと、情報をやりとりするための情報通信制御処理を行う。データ制御部１１２は、コンテンツの録画、再生などの処理を制御する。
【００２３】
また、このデータ制御部１１２には、コンテンツを再生する再生モジュール１２１と、コンテンツ推薦情報を生成する推薦モジュール１２２が含まれる。
【００２４】
データ記憶部１１３は、コンテンツの録画、再生もしくはコンテンツの推薦処理などでやり取りされる情報を記憶する。
【００２５】
表示部１１４は、情報を表示装置１０３に出力するための処理を行う。操作部１１５は、ユーザ端末１０１に存在する操作ボタンや付属のリモコンであり、ユーザの操作により入力された情報を受け取り、その情報をデータ制御部１１２に伝達する。
【００２６】
表示装置１０３は、リアプロジェクトテレビや液晶ディスプレイなどで構成され、ユーザに各種情報を提示する。ＥＰＧ（電子番組表）配信サーバ１０４は、ＥＰＧ情報を保管しており、その情報をネットワークを介して、ユーザ端末１０１に配信する。
【００２７】
次に、本実施の形態に係るコンテンツ推薦方法において、ユーザ端末１０１に含まれる再生モジュール１２１が推薦モジュール１２２へ再生操作情報を送信する動作の流れを、図２を参照して詳細に説明する。
【００２８】
図２は、本実施の形態に係るユーザ端末１０１に含まれる再生モジュール１２１が、推薦モジュール１２２に再生操作情報を送信する動作を説明するフローチャートである。  図２のフローチャートで示す処理の開始時点では、ユーザ端末１０１のデータ制御部１１２はコンテンツを幾つか録画して、データ記憶部１１３にその録画したコンテンツデータを保管している。
【００２９】
まず、ステップＳ２０１で、ユーザ端末１０１内のデータ制御部１１２は、操作部１１５から、ユーザによるコンテンツ再生要求を受け取る。また、前記データ制御部１１２に含まれる再生モジュール１２１は、データ記憶部１１３からコンテンツデータを読み出し、そのコンテンツデータを再生する。
【００３０】
次にステップＳ２０２で、データ制御部１１２は、操作部１１５から、ユーザによるコンテンツ再生停止要求を受け取り、前記データ制御部１１２に含まれる再生モジュール１２１は、コンテンツデータの再生を停止する。
【００３１】
次にステップＳ２０３で、再生モジュール１２１は、ステップＳ２０１、Ｓ２０２で行った再生操作情報を推薦モジュール１２２に送信する。そして、推薦モジュール１２２は、再生モジュール１２１から送られた再生操作情報を受信し、その情報をデータ記憶部１１３に保管し、処理を終了する。
【００３２】
次に、本実施の形態に係るコンテンツ推薦方法において、ユーザ端末１０１に含まれる推薦モジュール１２２が再生モジュール１２１から送られてきた再生操作情報を集計し、コンテンツ推薦情報を生成する動作の流れを、図３を参照して詳細に説明する。
【００３３】
図３は、本実施の形態１に係るユーザ端末１０１に含まれる推薦モジュール１２２が、再生モジュール１２１から送られてきた再生操作情報を集計し、コンテンツ推薦情報を生成する動作を説明するフローチャートである。
【００３４】
図３のフローチャートで示す処理の開始時点では、ユーザ端末１０１内の推薦モジュール１２２は、図２のステップＳ２０３で再生モジュール１２１が送信した再生操作情報を受信し、その情報をデータ記憶部１１３に保管している。
【００３５】
まず、ステップＳ３０１で、推薦モジュール１２２は、データ記憶部１１３に保管している再生操作情報を基にして、各コンテンツごとに、そのコンテンツを再生したユーザ端末を全て抽出する。
【００３６】
次に、ステップＳ３０２で、推薦モジュール１２２は、データ記憶部１１３に保管している再生操作情報を基にして、ステップＳ３０２で抽出したユーザ端末が再生したコンテンツを、前記コンテンツを除いて集計する。
【００３７】
次に、ステップＳ３０３で、推薦モジュール１２２は、ステップＳ３０２で集計した、前記コンテンツ以外のコンテンツリストの中から、再生端末数が多いものを任意の数だけ抽出し、これをコンテンツ推薦情報として生成し、データ記憶部１１３に保管する。
【００３８】
次に、ステップＳ３０４で、ステップＳ３０３で抽出したコンテンツそれぞれに関して、再生操作情報に含まれる、このコンテンツを再生したユーザ端末全てにおける再生時間や再生回数などの平均値を任意の関数で点数化する。そして、その情報をデータ記憶部１１３に保管する。
【００３９】
ここで、点数化の基となるデータとして、このコンテンツを再生したユーザ端末全てにおける再生時間や再生回数以外に、録画日時から再生日時までの時間間隔を使用することもある。
【００４０】
次に、ステップＳ３０５で、ステップＳ３０４で点数化した再生操作情報を、ステップＳ３０３で生成したコンテンツ推薦情報に付加する。そして、このステップＳ３０１からＳ３０５までの処理を全コンテンツ分について繰り返し行い、処理を終了する。
【００４１】
尚、このコンテンツ推薦情報を更新するタイミングであるが、再生モジュール１２１から新しい再生操作情報が送られてきた時、もしくは任意の間隔ごとに情報を更新する。
【００４２】
次に、ユーザ端末１０１に含まれる再生モジュール１２１が、図３のステップＳ３０３で推薦モジュール１２２が生成したコンテンツ推薦情報を基に、任意のコンテンツに関してコンテンツ推薦情報を表示装置１０３に出力する動作の流れを説明する。
【００４３】
図４は、本実施の形態１に係るユーザ端末１０１に含まれる再生モジュール１２１が、図３のステップＳ３０３で推薦モジュール１２２が生成したコンテンツ推薦情報を基に、任意のコンテンツに関して、コンテンツ推薦情報を表示装置１０３に出力する動作を説明するフローチャートである。
【００４４】
図４のフローチャートで示す処理の開始時点では、図３のステップＳ３０３でユーザ端末１０１内の推薦モジュール１２２が生成したコンテンツ推薦情報を、再生モジュール１２１は推薦モジュール１２２に問い合わせて取得し、データ記憶部１１３に保管している。さらに、再生モジュール１２１は、ＥＰＧ情報をＥＰＧ配信サーバから取得し、データ記憶部１１３に保管している。
【００４５】
図４のステップＳ４０１で、再生モジュール１２１は、データ記憶部１１３に保管しているＥＰＧ情報を基に、コンテンツ一覧画面５０１を表示部１１４を介して、表示装置１０３に出力する（図５）。
【００４６】
次に、ステップＳ４０２で、データ制御部１１２は、操作部１１５から、ユーザによる任意のコンテンツ選択要求を受け取り、再生モジュール１２１は表示装置に出力されているコンテンツ一覧の中から、選択要求されたコンテンツ５０２を選択する。
【００４７】
次に、ステップＳ４０３で、データ制御部１１２は、操作部１１５から、ユーザによる、コンテンツの詳細情報表示要求を受け取り、再生モジュール１２１はステップＳ４０２で選択されているコンテンツに関する詳細情報６０１を表示部１１４を介して、表示装置１０３に出力する（図６）。
【００４８】
次に、ステップＳ４０４で、データ制御部１１２は、操作部１１５から、ユーザによる、コンテンツの推薦情報表示要求を受け取り、再生モジュール１２１はステップＳ４０３で詳細情報を表示しているコンテンツに関するコンテンツ推薦情報７０１を表示部１１４を介して、表示装置１０３に出力する（図７）。
【００４９】
このとき、図３のステップＳ３０４で点数化したコンテンツ再生操作情報に基づいて、その点数が高い順に、コンテンツ推薦情報に含まれるコンテンツを表示する。
【００５０】
さらに、図７では、点数化したコンテンツ再生操作情報を、閾値を設けて５段階で表示しており、最高点が“☆☆☆☆☆”で最低点は“☆なし”である。
【００５１】
次に、ステップＳ４０５で、データ制御部１１２は、操作部１１５から、ユーザによる任意の推薦コンテンツ選択要求を受け取り、再生モジュール１２１はステップＳ４０４で表示したコンテンツ推薦情報の中から、要求された推薦コンテンツ７０２を選択する。
【００５２】
次に、ステップＳ４０６で、再生モジュール１２１はデータ記憶部１１３を調べて、ステップＳ４０５で選択された推薦コンテンツが既に録画されているかどうかを調べるために、推薦コンテンツがデータ記憶部１１３に保管されているか調査する。
【００５３】
ステップＳ４０５で選択した推薦コンテンツが録画済みの場合は、ステップＳ４０７に進み、録画済みでない場合は、ステップＳ４０８に進む。次にステップＳ４０７で、再生モジュール１２１は、ステップＳ４０５で選択された推薦コンテンツが既に録画済みであるので、図７の７０４のボタン名を“再生”とする。
【００５４】
次に、ステップＳ４０８で、データ制御部１１２は、操作部１１５から、ユーザによる推薦コンテンツの再生要求を受け取り、再生モジュール１２１はステップＳ４０５で選択された推薦コンテンツのデータをデータ記憶部１１３から読み出す。そして、そのデータを再生し、表示部１１４を介して、表示装置１０３に出力し、処理を終了する。
【００５５】
次に、ステップＳ４０９で、再生モジュール１２１は、ステップＳ４０５で選択された推薦コンテンツが録画されていないので、図７の７０４のボタン名を“続編検索”とする。
【００５６】
次に、ステップＳ４１０で、データ制御部１１２は、操作部１１５から、ユーザによる推薦コンテンツの続編検索要求を受け取り、再生モジュール１２１は、ステップＳ４０５で選択された推薦コンテンツの続編がその時点よりも後にあるのかどうか、ＥＰＧ配信サーバ１０４に問い合わせて検索する。
【００５７】
次に、ステップＳ４１１で、ステップＳ４１０での続編コンテンツの検索がヒットした場合にはステップＳ４１２に進み、ヒットしなかった場合にはステップＳ４１３に進む。
【００５８】
次に、ステップＳ４１２で、再生モジュール１２１はステップＳ４１０で検索した続編コンテンツのリストを、ＥＰＧ配信サーバ１０４から取得し、データ記憶部１１３に保管するとともに、表示部１１４を介して、表示装置１０３に出力する。
【００５９】
次に、ステップＳ４１３で、データ制御部１１２は、操作部１１５から、ユーザによる続編コンテンツの録画予約要求を受け取り、データ制御部１１２は録画予約要求された続編コンテンツの録画予約を行い、処理を終了する。
【００６０】
次に、ステップＳ４１４で、再生モジュール１２１はステップＳ４１０で検索した結果、検索ヒット数が０であったことをＥＰＧ配信サーバ１０４から取得する。そして、「続編コンテンツは該当なし」であることを示すメッセージを表示部１１４を介して、表示装置１０３に出力し、処理を終了する。
【００６１】
このように本実施の形態によれば、ユーザ端末は任意のコンテンツを視聴している人が他にどんなコンテンツをどれくらい（何時間、何回等）、またはいつ（録画してからの経過時間等）視聴しているかをコンテンツ推薦情報として、ユーザに提供することができる。
【００６２】
尚、ここでは、再生モジュール１２１と推薦モジュール１２２が同じユーザ端末１０１内に存在し、それらが情報をやり取りする場合について説明したが、これに限定されるものではない。例えば、別のユーザ端末１０１内にそれぞれ存在する再生モジュール１２１と推薦モジュール１２２とがネットワークを介して、情報をやりとりする場合も同様であることは言うまでもない。
【００６３】
尚、ここでは、ユーザ端末１０１内のデータ制御部１１２に、再生モジュール１２１と推薦モジュール１２２の両方を含む場合について説明したが、これに限定されるものではない。例えば、ユーザ端末１０１のデータ制御部１１２に、再生モジュール１２１もしくは推薦モジュール１２２のどちらか一方だけを含む場合も同様であることは言うまでもない。
【００６４】
尚、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００６５】
この場合、記憶媒体から読み出されたプログラムコード自体が前述した実施の形態の機能を実現することになり、そのプログラムコード及び該プログラムコードを記憶した記憶媒体は本発明を構成することになる。
【００６６】
また、プログラムコードを供給するための記憶媒体としては、例えば、フロッピー（登録商標）ディスク、ハードディスク、光磁気ディスク、ＣＤ−ＲＯＭ，ＣＤ−Ｒ，ＣＤ−ＲＷ，ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ−ＤＶＤ，Ｂｌｕ−ｒａｙＤｉｓｃ、磁気テープ、不揮発性のメモリカード、ＲＯＭ等を用いることができる。また、このプログラムコードをネットワークを介してダウンロードしてもよい。
【００６７】
またコンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００６９】
【図１】本発明の実施の形態に係るシステムの構成を説明する概略図である。
【図２】本発明の実施の形態に係るシステムにおける動作処理を説明するフローチャートである。
【図３】本発明の実施の形態に係るシステムにおける動作処理を説明するフローチャートである。
【図４】本発明の実施の形態に係るシステムにおける動作処理を説明するフローチャートである。
【図５】本発明の実施の形態に係るシステムにおける表示部の表示例を示す図である。
【図６】本発明の実施の形態に係るシステムにおける表示部の表示例を示す図である。
【図７】本発明の実施の形態に係るシステムにおける表示部の表示例を示す図である。
【符号の説明】
【００７０】
１０１  ユーザ端末
１０２  ネットワーク
１０３  表示装置
１０４  ＥＰＧ配信サーバ
１１１  通信部
１１２  データ制御部
１１３  データ記憶部
１１４  表示部
１１５  操作部
１２１  再生モジュール
１２２  推薦モジュール
【図１】
2007324874.tif 000003
【図２】
2007324874.tif 000004
【図３】
2007324874.tif 000005
【図４】
2007324874.tif 000006
【図５】
2007324874.tif 000007
【図６】
2007324874.tif 000008
【図７】
2007324874.tif 000009